【手続補正書】
【提出日】平成19年6月13日(2007.6.13)
【手続補正１】
【補正対象書類名】明細書
【補正対象項目名】特許請求の範囲
【補正方法】変更
【補正の内容】
【特許請求の範囲】
【請求項１】  無線受信機における時間追跡の方法であって：
信号の第１のインスタンスを復調して該信号の可能性のあるデータ値の組に対応する第１の組のエネルギー値を作る段階と；
該信号の第２のインスタンスを復調して該可能性のあるデータ値の組に対応する第２の組のエネルギー値を作る段階と；
組合せた組のエネルギー値を決めるために該第１と該第２の組のエネルギー値を組合せる段階と；
該組合せた組のエネルギー値に基づいて最もありそうな送られたデータ値の第１の推定を判断する段階と；
該第１の推定に対応するシンボルを用いて該第１のインスタンスのデスプレッドサンプルの初期組をデカバーして第１の初期エネルギー値を作る段階と；
該第１の推定に対応する該シンボルを用いて該第１のインスタンスのデスプレッドサンプルの後期組をデカバーして第１の後期エネルギー値を作る段階と；
該第１の初期及び該第１の後期エネルギー値に基づいて該第１のインスタンスの時間オフセットを判断する段階とを備えた方法。
【請求項２】  さらに、前記第１の推定に対応する前記シンボルを用いて前記第２のインスタンスのデスプレッドサンプルの初期組をデカバーして第２の初期エネルギー値を作る段階と；
前記第１の推定に対応する前記シンボルを用いて前記第２のインスタンスのデスプレッドサンプルの後期組をデカバーして第２の後期エネルギー値を作る段階と；
該第２の初期及び該第２の後期エネルギー値に基づいて該第２のインスタンスの時間オフセットを判断する段階とを備えた請求項１記載の方法。
【請求項３】  前記第２のインスタンスは前記第１のインスタンスの前に前記受信機に到達し、さらに、
前記第２の組のエネルギー値に基づいて前記最もありそうな送られたデータ値の第２の推定を判断する段階と；
前記第２の推定に対応する前記シンボルを用いて前記第２のインスタンスのデスプレッドサンプルの初期組をデカバーして第２の初期エネルギー値を作る段階と；
前記第２の推定に対応するシンボルを用いて前記第２のインスタンスのデスプレッドサンプルの後期組をデカバーして第２の後期エネルギー値を作る段階と；
該第２の初期及び該第２の後期エネルギー値に基づいて該第２のインスタンスの時間オフセットを判断する段階とを備えた請求項１記載の方法。
【請求項４】  さらに、信号の第３のインスタンスを復調して可能性のあるデータ値の前記組に対応する第３の組のエネルギー値を作る段階と；
該第３と前記組合せた組のエネルギー値を組合せて第２の組合せた組のエネルギー値を決める段階と；
該第２の組合せた組のエネルギー値に基づいて前記最もありそうな送られたデータ値の第２の推定を判断する段階と；
該第２の推定に対応するシンボルを用いて該第３のインスタンスのデスプレッドサンプルの初期組をデカバーして第３の初期エネルギー値を作る段階と；
該第２の推定に対応する該シンボルを用いて該第３のインスタンスのデスプレッドサンプルの後期組をデカバーして第３の後期エネルギー値を作る段階と；
該第３の初期及び該第３の後期エネルギー値に基づいて該第３のインスタンスの時間オフセットを判断する段階とを備えた請求項１記載の方法。
【請求項５】 さらに、信号の第３のインスタンスを復調して可能性のあるデータ値の前記組に対応する第３のエネルギー値を作る段階と；
ここで、前記組合せる段階がさらに前記第３の組のエネルギー値を前記第１と第２の組のエネルギー値と組合せて前記組合せた組のエネルギー値を作る段階を備える；
前記第１の推定に対応する前記シンボルを用いて該第３のインスタンスのデスプレッドサンプルの初期組をデカバーして第３の初期エネルギー値を作る段階と；
前記第１の推定に対応する前記シンボルを用いて該第３のインスタンスのデスプレッドサンプルの後期組をデカバーして第３の後期エネルギー値を作る段階と；
該第３の初期及び該第３の後期エネルギー値に基づいて該第３のインスタンスの時間オフセットを判断する段階とを備えた請求項１記載の方法。
【請求項６】  無線受信機における時間追跡用装置であって：
信号の第１のインスタンスを復調して該信号の可能性のあるデータ値の組に対応する第１の組のエネルギー値を作るための手段と；
該信号の第２のインスタンスを復調して該可能性のあるデータ値の組に対応する第２の組のエネルギー値を作るための手段と；
該第１と該第２の組のエネルギー値を組合せて、組合せた組のエネルギー値を決めるための手段と；
該組合せた組のエネルギー値に基づいて最もありそうな送られたデータ値の第１の推定を判断するための手段と；
該第１の推定に対応するシンボルを用いて該第１のインスタンスのデスプレッドサンプルの初期組をデカバーして第１の初期エネルギー値を作るための手段と；
該第１の推定に対応する該シンボルを用いて該第１のインスタンスのデスプレッドサンプルの後期組をデカバーして第１の後期エネルギー値を作るための手段と；
該第１の初期及び該第１の後期エネルギー値を用いて該第１のインスタンスの時間追跡をするための手段とを備えた装置。
【請求項７】  さらに、前記第１の推定に対応する前記シンボルを用いて前記第２のインスタンスのデスプレッドサンプルの初期組をデカバーして第２の初期エネルギー値を作るための手段と；
前記第１の推定に対応する前記シンボルを用いて前記第２のインスタンスのデスプレッドサンプルの後期組をデカバーして第２の後期エネルギー値を作るための手段と；
該第２の初期及び該第２の後期エネルギー値を用いて該第２のインスタンスの時間追跡をするための手段とを備えた請求項６記載の装置。
【請求項８】  前記第２のインスタンスは前記第１のインスタンスの前に到達し、さらに
前記第２の組のエネルギー値に基づいて前記最もありそうな送られたデータ値の第２の推定を判断するための手段と；
前記第２の推定に対応するシンボルを用いて前記第２のインスタンスのデスプレッドサンプルの初期組をデカバーして第２の初期エネルギー値を作るための手段と；
前記第２の推定に対応するシンボルを用いて前記第２のインスタンスのデスプレッドサンプルの後期組をデカバーして第２の後期エネルギー値を作るための手段と；
該第２の初期及び該第２の後期エネルギー値を用いて該第２のインスタンスの時間追跡をするための手段とを備えた請求項６記載の装置。
【請求項９】  さらに、信号の第３のインスタンスを復調して可能性のあるデータ値の前記組に対応する第３の組のエネルギー値を作るための手段と；
該第３と前記組合せた組のエネルギー値を組合せて第２の組合せた組のエネルギー値を決めるための手段と；
該第２の組合せた組のエネルギー値に基づいて前記最もありそうな送られたデータ値の第２の推定を判断するための手段と；
該第２の推定に対応するシンボルを用いて該第３のインスタンスのデスプレッドサンプルの初期組をデカバーして第３の初期エネルギー値を作るための手段と；
該第２の推定に対応する該シンボルを用いて該第３のインスタンスのデスプレッドサンプルの後期組をデカバーして第３の後期エネルギー値を作るための手段と；
該第３の初期及び該第３の後期エネルギー値を用いて該第３のインスタンスの時間追跡をするための手段とを備えた請求項６記載の装置。
【請求項１０】  さらに、信号の第３のインスタンスを復調して可能性のあるデータ値の前記組に対応する第３のエネルギー値を作るための手段と；
ここで、前記組合せる手段はさらに前記第３の組のエネルギー値を前記第１と第２の組のエネルギー値と組合せて前記組合せた組のエネルギー値を作るための手段を備える；
前記第１の推定に対応する前記シンボルを用いて該第３のインスタンスのデスプレッドサンプルの初期組をデカバーして第３の初期エネルギー値を作るための手段と；
前記第１の推定に対応する前記シンボルを用いて該第３のインスタンスのデスプレッドサンプルの後期組をデカバーして第３の後期エネルギー値を作るための手段と；
該第３の初期及び該第３の後期エネルギー値を用いて該第３のインスタンスの時間追跡をするための手段とを備えた請求項６記載の装置。
【請求項１１】  一連の信号サンプルを受領するように構成され、かつ信号の第１のインスタンスに割当てられるように構成されていて、それにより該信号の可能性のあるデータ値の組に対応する第１の組のエネルギー値を作るようにされた第１の復調素子と；
該一連の信号サンプルを受領するように構成され、かつ該信号の第２のインスタンスに割当てられるように構成されていて、それにより該信号の可能性のあるデータ値の該組に対応する第２の組のエネルギー値を作るようにされた第２の復調素子と；
該第１と第２の組のエネルギー値を組合せるように構成されていてそれにより組合せた組のエネルギー値を作るコンバイナと；
該組合せた組のエネルギー値に基づいて最もありそうな送られたデータ値の第１の推定を判断するように作られた最大値検出器と；
該第１のインスタンスのデスプレッドサンプルの第１の初期組を受領し、該第１の推定に対応するシンボルを用いてデスプレッドサンプルの第１の初期組をデカバーして第１の初期エネルギー値を作るように作られた第１の初期シンボルデカバラーと；
該第１のインスタンスのデスプレッドサンプルの第１の後期組を受領し、該第１の推定に対応するシンボルを用いてデスプレッドサンプルの第１の後期組をデカバーして第１の後期エネルギー値を作るように作られた第１の後期シンボルデカバラーと；
該第１の初期及び該第１の後期エネルギー値を受領して、該第１のインスタンスが受領された時間オフセットの更新された推定を作るように作られた第１の時間追跡器とを備えたレーキ受信機。
【請求項１２】 さらに、該第２のインスタンスのデスプレッドサンプルの第２の初期組を受領し、該第１の推定に対応するシンボルを用いてデスプレッドサンプルの該第２の初期組をデカバーして第２の初期エネルギー値を作るように作られた第２の初期シンボルデカバラーと；
該第２のインスタンスのデスプレッドサンプルの第２の後期組を受領し、該第１の推定に対応するシンボルを用いてデスプレッドサンプルの第２の後期組をデカバーして第２の後期エネルギー値を作るように作られた第２の後期シンボルデカバラーと；
該第２の初期及び該第２の後期エネルギー値を受領して、該第２のインスタンスが受領された時間オフセットの更新された推定を作るように作られた第２の時間追跡器とを備えた請求項１１記載のレーキ受信機。
【請求項１３】  前記第２のインスタンスは前記第１のインスタンスより早く到達する信号であり、さらに
該第２の組のエネルギー値に基づいて最もありそうな送られたデータ値の第２の推定を判断するように作られた最大値検出器と；
該第２のインスタンスのデスプレッドサンプルの第２の初期組を受領し、該第２の推定に対応するシンボルを用いてデスプレッドサンプルの第２の初期組をデカバーして第２の初期エネルギー値を作るように作られた第２の初期シンボルデカバラーと；
該第２のインスタンスのデスプレッドサンプルの第２の後期組を受領し、該第２の推定に対応するシンボルを用いてデスプレッドサンプルの第２の後期組をデカバーして第２の後期エネルギー値を作るように作られた第２の後期シンボルデカバラーと；
該第２の初期及び該第２の後期エネルギー値を受領して、該第２のインスタンスが受領された時間オフセットの更新された推定を作るように作られた第２の時間追跡器とを備えた請求項１１記載のレーキ受信機。
【請求項１４】  さらに前記一連の信号サンプルを受領するように構成され、かつ該信号の第３のインスタンスに割当てられるように構成されていて、それにより該信号の可能性のあるデータ値の該組に対応する第３の組のエネルギー値を作る第３の復調素子と；
ここで前記コンバイナはさらに前記第３の組のエネルギー値を前記第１と第２の組のエネルギー値と組合せて、前記組合せた組のエネルギー値を作るように構成されている；
該第３のインスタンスのデスプレッドサンプルの第３の初期組を受領し、該第１の推定に対応するシンボルを用いてデスプレッドサンプルの該第３の初期組をデカバーして第３の初期エネルギー値を作るように作られた第３の初期シンボルデカバラーと；
該第３のインスタンスのデスプレッドサンプルの第３の後期組を受領し、該第１の推定に対応するシンボルを用いてデスプレッドサンプルの第３の後期組をデカバーして第３の後期エネルギー値を作るように作られた第３の後期シンボルデカバラーと；
該第３の初期及び該第３の後期エネルギー値を受領して、該第３のインスタンスが受領された時間オフセットの更新された推定を作るように作られた第３の時間追跡器とを備えた請求項１１記載のレーキ受信機。
【請求項１５】  前記一連の信号サンプルを受領するように構成され、かつ該信号の第３のインスタンスに割当てられるように構成されていて、それにより該信号の可能性のあるデータ値の該組に対応する第３の組のエネルギー値を作る第３の復調素子と；
該第３の組のエネルギー値を前記組合せた組のエネルギー値と組合せるように構成されて第２の組合せた組のエネルギー値を作る第２のコンバイナと；
該第２の組合せた組のエネルギー値に基づいて最もありそうな送られたデータ値の第２の推定を判断するように作られた第２の最大値検出器と；
該第３のインスタンスのデスプレッドサンプルの第３の初期組を受領し、該第２の推定に対応するシンボルを用いてデスプレッドサンプルの該第３の初期組をデカバーして第３の初期エネルギー値を作るように作られた第３の初期シンボルデカバラーと；
該第３のインスタンスのデスプレッドサンプルの第３の後期組を受領し、該第２の推定に対応するシンボルを用いてデスプレッドサンプルの第３の後期組をデカバーして第３の後期エネルギー値を作るように作られた第３の後期シンボルデカバラーと；
該第３の初期及び該第３の後期エネルギー値を受領して、該第３のインスタンスが受領された時間オフセットの更新された推定を作るように作られた第３の時間追跡器とを備えた請求項１１記載のレーキ受信機。